(57)【要約】【課題】キャブやカウンタウェイト等の配置に関わらず、各種クーリングコアを容易に着脱することが可能なクーリングコアの取付構造およびこれを備えた油圧ショベルを提供する。【解決手段】本クーリングコアの取付構造は、油圧ショベル１に搭載されたクーリングコア（オイルクーラ２１、ＣＡＣ２２、ラジエータ２３）の取付構造であって、平面視において、キャブ１０の一部がクーリングコア上に重なる位置に配置されている。クーリングコアは、正面側に形成された着脱空間Ｓを介してメンテナンス開口扉７からの着脱を可能としている。【選択図】図３
2009120036.tif 000002
【特許請求の範囲】
【請求項１】
作業車両に搭載されたクーリングコアの取付構造であって、
前記作業車両のキャブが、平面視において重なる位置に配置された前記クーリングコアと、
前記作業車両側へ前記クーリングコアを固定するフレーム部と、
前記クーリングコアを正面から着脱するために、前記クーリングコアの正面側と前記作業車両のメンテナンス開口部との間に形成された着脱空間と、
を備えているクーリングコアの取付構造。
【請求項２】
前記フレーム部は、前記クーリングコアの端部を固定する部分において、前記着脱空間側を覆わない着脱許容部を有している、
請求項１に記載のクーリングコアの取付構造。
【請求項３】
前記クーリングコアを前記着脱空間へ誘導する移動部を、さらに備えている、
請求項１または２に記載のクーリングコアの取付構造。
【請求項４】
前記クーリングコアは、その正面視において、前記作業車両の後端部に搭載されたカウンタウェイトの端部によって一部が覆われている、
請求項３に記載のクーリングコアの取付構造。
【請求項５】
前記クーリングコアは、ラジエータ、オイルクーラおよびアフタークーラの少なくとも１つを含む、
請求項１から４のいずれか１項に記載のクーリングコアの取付構造。
【請求項６】
請求項１から５のいずれか１項に記載のクーリングコアの取付構造を備えた油圧ショベル。
【発明の詳細な説明】
【技術分野】
【０００１】
本発明は、ラジエータやオイルクーラ、アフタークーラを含むクーリングコアの取付構造およびこれを備えた油圧ショベルに関する。
【背景技術】
【０００２】
従来より、油圧ショベル等の作業車両には、エンジンの冷却水を冷却するためのラジエータや、油圧機器の作動油を冷却するオイルクーラ、エンジン性能を向上させるためにエンジンに対して供給された圧縮空気を冷却するアフタークーラ等を含む各種のクーリングコアが搭載されている。
例えば、特許文献１〜３には、ラジエータやオイルクーラ等の各種クーリングコアの清掃やメンテナンス等を容易化するために、略鉛直方向（上下方向）においてクーリングコアの着脱を行う作業車両の冷却装置が開示されている。
【特許文献１】特開２００３−１３６９７２号公報（平成１５年５月１４日公開）
【特許文献２】特開２００７−２２５３３号公報（平成１９年２月１日公開）
【特許文献３】特開２００６−３３５３２９号公報（平成１８年１２月１４日公開）
【発明の開示】
【発明が解決しようとする課題】
【０００３】
しかしながら、上記従来のクーリングコアの取付構造では、以下に示すような問題点を有している。
すなわち、上記公報に開示されたクーリングコアの取付構造では、メンテナンスや修理等のためにクーリングコアを上方から取り出す必要がある。
このため、例えば、比較的小型の油圧ショベル等のように、クーリングコアの上方にキャブ等が配置された構造や、後方にカウンタウェイトが被さる構造を採用した作業車両の場合には、クーリングコアを取り出すためのスペースが十分に確保できないおそれがある。特に、平面視においてキャブの一部がクーリングコア上に被さる構造では、クーリングコアを上下方向において着脱する際には、キャブをクレーンで吊り上げる等の大掛かりな作業が必要となる場合がある。
【０００４】
本発明の課題は、キャブやカウンタウェイト等の配置に関わらず、各種クーリングコアを容易に着脱することが可能なクーリングコアの取付構造およびこれを備えた油圧ショベルを提供することにある。
【課題を解決するための手段】
【０００５】
第１の発明に係るクーリングコアの取付構造は、作業車両に搭載されたクーリングコアの取付構造であって、クーリングコアと、フレーム部と、着脱空間とを備えている。クーリングコアは、作業車両のキャブが、平面視において重なる位置に配置されている。フレーム部は、作業車両側へクーリングコアを固定する。着脱空間は、クーリングコアを正面から着脱するために、クーリングコアの正面側と作業車両のメンテナンス開口部との間に形成されている。
【０００６】
ここでは、平面視において作業車両のオペレータが乗降するキャブがクーリングコア上に被さるように配置された構成において、フレーム部に対して取り付けられたクーリングコアの正面側とメンテナンス開口部との間に、着脱空間を設けている。
ここで、上記クーリングコアには、エンジンの冷却水を冷却するラジエータ、油圧機器の作動油を冷却するオイルクーラ、およびエンジン性能を向上させるためにエンジンに対して供給された圧縮空気を冷却するアフタークーラ等の各種クーリングコアが含まれる。また、上記着脱空間とは、上記クーリングコアを着脱する際にクーリングコアが正面側に着脱されてから移動する空間を言う。
【０００７】
通常、このようなクーリングコアの着脱を行う場合には、用意する空間が少なくて済む上下方向に着脱空間を設けることが多い。しかし、例えば、比較的小型の油圧ショベルのように、クーリングコアの上方がキャブによって覆われている構成では、上下方向に着脱空間を設けることが困難になる場合がある。
本発明に係るクーリングコアの取付構造では、このような上下方向がキャブによって覆われたクーリングコアの取付構造において、敢えて、正面側へその着脱を行うための着脱空間を設けている。
【０００８】
これにより、キャブによって覆われた上方からの着脱を行うことなく、正面から容易にクーリングコアの着脱を行うことができる。また、上述したように、このような構造は比較的小型の油圧ショベル等に多いことから、正面からの着脱を行う場合でも、クーリングコア自体の大きさも小型の場合が多いため、正面に設けられる着脱空間が必要以上に拡大して、旋回台等の大きさを拡大することを回避することもできる。
【０００９】
第２の発明に係るクーリングコアの取付構造は、第１の発明に係るクーリングコアの取付構造であって、フレーム部は、クーリングコアの端部を固定する部分において、着脱空間側を覆わない着脱許容部を有している。
ここでは、クーリングコアを取り付けるフレームに、着脱空間側へのクーリングコアの移動を許容する着脱許容部を設けている。
【００１０】
ここで、上記着脱許容部には、クーリングコアの端部付近において、着脱空間側を覆わないように、Ｌ字形状とされたフレームの一部や、着脱空間側が外折れ形状とされたフレームの一部等が含まれる。
これにより、クーリングコアの着脱を行う際には、フレームの一部に邪魔されることなく、容易に着脱空間が設けられている正面側へ移動させることができる。
【００１１】
第３の発明に係るクーリングコアの取付構造は、第１または第２の発明に係るクーリングコアの取付構造であって、クーリングコアを着脱空間へ誘導する移動部を、さらに備えている。
ここでは、クーリングコアの正面視において、クーリングコアの一部にカウンタウェイト等の他の部材が被さるようにして配置された取付構造において、クーリングコアを一旦、横方向へスライドさせてから着脱空間の方へ誘導する。
【００１２】
ここで、上記移動部には、着脱空間までクーリングコアを誘導する方向に沿って形成されたフレーム形状等が含まれる。
これにより、クーリングコアの正面側の空間を全て空けることなく、最小限の空間だけ確保できれば十分にクーリングコアを正面側から着脱することができる。よって、クーリングコアが搭載される旋回台等の大きさを最小限とし、旋回半径を小さくできる等の効果を得ることができる。
【００１３】
第４の発明に係るクーリングコアの取付構造は、第３の発明に係るクーリングコアの取付構造であって、クーリングコアは、その正面視において、作業車両の後端部に搭載されたカウンタウェイトの端部によって一部が覆われている。
ここでは、クーリングコアの正面視において、クーリングコアの一部にカウンタウェイトの端部が被さるように配置されている。
【００１４】
これにより、そのまま正面からの着脱を行うことができないような取付構造であっても、クーリングコアを一旦スライドさせることで、正面の着脱空間から容易に着脱することができる。この結果、クーリングコアの正面側の空間を全て空けることなく最小限の空間だけ確保するだけで、十分にクーリングコアを正面側から着脱することができる。よって、例えば、クーリングコアが搭載される旋回台上の配置を効率化して、旋回半径を最小にする等の効果を得ることができる。
【００１５】
第５の発明に係るクーリングコアの取付構造は、第１から第４の発明のいずれか１つに係るクーリングコアの取付構造であって、クーリングコアは、ラジエータ、オイルクーラおよびアフタークーラ等の各種クーリングコアの少なくとも１つを含む。
ここでは、上述した取付構造によって搭載されたクーリングコアとして、エンジンの冷却水を冷却するラジエータ、油圧機器の作動油を冷却するオイルクーラ、エンジン性能を向上させるためにエンジンに対して供給された圧縮空気を冷却するアフタークーラの少なくとも１つを用いている。
【００１６】
これにより、例えば、複数のクーリングコアが組み合わされて構成されるクーリングコアであっても、一旦スライドさせる等して着脱空間まで誘導することで、それぞれを正面から容易に着脱することができる。
【００１７】
第６の発明に係る油圧ショベルは、第１から第５の発明のいずれか１つに係るクーリングコアの取付構造を備えている。
これにより、上記と同様に、キャブやカウンタウェイト等の配置に関わらず、各種クーリングコアを容易に着脱することが可能な油圧ショベルを提供することができる。
【発明の効果】
【００１８】
本発明に係るクーリングコアの取付構造によれば、キャブやカウンタウェイト等の配置に関わらず、各種クーリングコアを容易に着脱することができる。
【発明を実施するための最良の形態】
【００１９】
本発明の一実施形態に係るクーリングコアの取付構造を採用した油圧ショベル（作業車両）１について、図１〜図１０（ｂ）を用いて説明すれば以下の通りである。
［油圧ショベル１の構成］
本実施形態に係る油圧ショベル１は、図１および図２に示すように、下部走行体２と、旋回フレーム３と、作業機４と、カウンタウェイト５と、冷却ユニット６と、キャブ１０とを備えている。
【００２０】
下部走行体２は、進行方向左右両端部分に巻き掛けられた履帯Ｐを回転させることで、油圧ショベル１を前後進させるとともに、上面側に旋回フレーム３を旋回可能な状態で搭載している。
旋回フレーム３は、下部走行体２上において任意の方向に旋回可能であって、図３および図４に示すように、上面に作業機４（図１参照）と、カウンタウェイト５と、冷却ユニット６と、キャブ１０とを搭載している。
【００２１】
作業機４は、ブームと、ブームの先端に取り付けられたアームと、アームの先端に取り付けられたバケットとを含むように構成されており、油圧シリンダによってアームやバケット等を上下に移動させながら、土砂や砂礫等の掘削を行う土木工事の現場において作業を行う。
カウンタウェイト５は、採掘時等において車体のバランスをとるために旋回フレーム３の後部に配置された重りであって、図５（ａ）〜図５（ｃ）に示すように、後述する冷却ユニット６の正面の一部を覆う側部５ａを有している。
【００２２】
冷却ユニット６は、図３に示すように、平面視においてキャブ１０に重なるように旋回フレーム３上に載置されている。また、冷却ユニット６は、図３および図４に示すように、その正面視においてカウンタウェイト５の側部５ａがかかる位置に配置されている。なお、この冷却ユニット６の構成については、後段にて詳述する。
メンテナンス開口扉７は、冷却ユニット６等のメンテナンスを行うためにキャブ１０の後方側面に設けられた開閉扉であって、図１および図３に示すように、冷却ユニット６の着脱を行うための着脱空間Ｓを介して冷却ユニット６へのアクセスを可能としている。
【００２３】
キャブ１０は、油圧ショベル１のオペレータが乗降する運転室であって、作業機４の先端部を見通せるように、図２〜図４に示すように、旋回フレーム３上における作業機４の取り付け部分の側方となる左側前部に配置されている。
［冷却ユニット６］
冷却ユニット６は、図６および図７に示すように、ケース部（フレーム部）２０と、オイルクーラ（クーリングコア）２１と、アフタークーラであるＣＡＣ（クーリングコア）２２と、ラジエータ（クーリングコア）２３と、燃料クーラ２４と、取付プレート２５とを備えている。
【００２４】
ケース部２０は、各クーリングコア（オイルクーラ２１、ＣＡＣ２２、ラジエータ２３）が取り付けられる略箱状のフレームである。そして、ケース部２０は、隣接配置されたエンジンＥ側に形成された略円形の開口部２０ａと、各クーリングコアが装着される取付空間（移動部）Ｔと、ＣＡＣ２２が収容される取付空間Ｔからみて外側に屈曲された外折れ部（着脱許容部）２０ｃ（図９（ｂ）および図１０（ｂ）参照）とを有している。開口部２０ａは、エンジンＥ（図３参照）により回転駆動されるファンによって、メンテナンス開口扉７から車体内側へ向かう空気の流れＷ（図６および図７参照）を通過させる。取付空間Ｔは、各クーリングコアが装着され、かつ着脱時におけるスライド空間となる。外折れ部２０ｃは、取付空間Ｔ内に装着されたＣＡＣ２２とは反対側に向かって屈曲したフレームの一部であって、ＣＡＣ２２およびラジエータ２３の着脱時において、これらの移動経路を邪魔しないように外向きに折り曲げられている。また、外折れ部２０ｃは、図９（ｂ）等に示すように、外向きに略Ｕの字となっているため、ケース部２０のフレーム強度を十分に確保することができる。取付空間Ｔは、各クーリングコア（オイルクーラ２１、ＣＡＣ２２、ラジエータ２３）が装着されるケース部２０内に形成された空間である。
【００２５】
オイルクーラ２１は、油圧ショベル１に搭載された各種油圧機器の作動油を冷却するクーリングコアであって、図７等に示すように、空気の流れＷの上流側（着脱空間Ｓ側）から見て、取付空間Ｔにおける左端に設けられている。また、オイルクーラ２１は、図８（ａ）に示すように、２つのクーリングコア２１ａ，２１ｂを重ね合わせるようにして構成されている。さらに、オイルクーラ２１は、図８（ａ）に示すように、上部と下部とに、それぞれオイル配管が接続されるオイル入口２１ｃとオイル出口２１ｄとを有している。
【００２６】
ＣＡＣ２２は、エンジンＥの性能を向上させるためにエンジンＥに対して供給された圧縮空気を冷却するクーリングコアであって、図７等に示すように、空気の流れＷの上流側（着脱空間Ｓ側）から見て、取付空間Ｔにおけるほぼ中央に、オイルクーラ２１とラジエータ２３とに挟まれるように設置されている。また、ＣＡＣ２２は、図６に示すように、エンジンＥに面する側の面における上部および下部に、空気出口２２ａと空気入口２２ｂとをそれぞれ有している。さらに、ＣＡＣ２２は、図８（ｂ）に示すように、着脱空間Ｓに面する側の上部に取付ボス２２ｃを有している。
【００２７】
ラジエータ２３は、エンジンの冷却水を冷却するクーリングコアであって、図７等に示すように、空気の流れＷの上流側（着脱空間Ｓ側）から見て、取付空間Ｔにおける右端に設置されている。また、ラジエータ２３は、図６に示すように、エンジンＥに面する側の面における上部および下部に、それぞれ水入口２３ａと水出口２３ｂとを有している。さらに、ラジエータ２３は、図８（ｃ）に示すように、着脱空間Ｓに面する側の上部に取付ボス２３ｃを有している。
【００２８】
燃料クーラ２４は、完全燃焼されない燃料やリターン燃料等を冷却するための冷却装置であって、図７に示すように、ケース部２０のアーム状の部材を介して、ラジエータ２３の正面付近に設置されている。
取付プレート２５は、図７に示すように、取付空間Ｔ内にＣＡＣ２２およびラジエータ２３を装着した際に、それぞれの着脱空間Ｓ側の面の上部に設けられた取付ボス２２ｃ，２３ｃに対して取り付けられ、ＣＡＣ２２およびラジエータ２３を一体化する。
【００２９】
［クーリングコアの取付構造］
本実施形態に係るクーリングコアの取付構造は、以下のような手順によって、メンテナンス開口扉７から着脱空間Ｓを利用して、各クーリングコア（オイルクーラ２１、ＣＡＣ２２、ラジエータ２３）の取り外しが行われる。
具体的には、まず、上述した燃料クーラ２４および取付プレート２５を取り外した後、図９（ａ）に示すように、取付空間Ｔ内におけるほぼ中央に設置されたＣＡＣ２２を一旦持ち上げてから着脱空間Ｓ側（手前側）へと引き出す（図中二点鎖線参照）。これにより、下端面において嵌合したピンの係合を外した後、ＣＡＣ２２を着脱空間Ｓ側へと取り外すことができる。
【００３０】
次に、図９（ｂ）に示すように、オイルクーラ２１を、一旦持ち上げて手前に引き出した後、中央寄りにスライド移動させ（図中二点鎖線参照）、ケース部２０のほぼ中央付近から着脱空間Ｓ側へと引き出す。これにより、ＣＡＣ２２と同様に、下端面において嵌合したピンの係合を外した後、オイルクーラ２１を容易に着脱空間Ｓ側へと取り外すことができる。
【００３１】
次に、ラジエータ２３については、図１０（ａ）に示すように、一旦持ち上げてから中央寄りにスライド移動させ、ケース部２０のほぼ中央付近から着脱空間Ｓ側へと取り外す（図中二点鎖線参照）。これにより、ＣＡＣ２２と同様に、下端面において嵌合したピンの係合を外した後、ラジエータ２３を容易に着脱空間Ｓ側へと取り外すことができる。
そして、図１０（ｂ）に示すように、ケース部２０内の取付空間Ｔ内から、ＣＡＣ２２、オイルクーラ２１、ラジエータ２３の順に、取り外すことができる。
【００３２】
本実施形態では、以上のように、クーリングコア（オイルクーラ２１、ＣＡＣ２２、ラジエータ２３）の上面がキャブ１０の一部によって覆われている配置（図３参照）であっても、メンテナンス開口扉７からクーリングコア（オイルクーラ２１、ＣＡＣ２２、ラジエータ２３）の正面に形成された着脱空間Ｓを介して、各クーリングコア（オイルクーラ２１、ＣＡＣ２２、ラジエータ２３）を容易に着脱することができる。
【００３３】
また、図３に示すように、クーリングコア（オイルクーラ２１、ＣＡＣ２２、ラジエータ２３）の正面側において、カウンタウェイト５の側部５ａがクーリングコア（オイルクーラ２１、ＣＡＣ２２、ラジエータ２３）の一部に被さるように配置されている場合でも、ケース部２０の取付空間Ｔ内においてラジエータ２３等をスライドさせることで、クーリングコア（オイルクーラ２１、ＣＡＣ２２、ラジエータ２３）の正面全てを着脱空間Ｓとしなくても、容易にラジエータ２３等のクーリングコアを着脱することができる。
【００３４】
［本クーリングコアの取付構造の特徴］
（１）
本実施形態のクーリングコアノ取付構造は、油圧ショベル１に搭載されたクーリングコア（オイルクーラ２１、ＣＡＣ２２、ラジエータ２３）の取付構造であって、図３に示すように、平面視において、キャブ１０の一部がクーリングコア（オイルクーラ２１、ＣＡＣ２２、ラジエータ２３）上に重なる位置に配置されている。そして、クーリングコア（オイルクーラ２１、ＣＡＣ２２、ラジエータ２３）は、図９（ａ）〜図１０（ｂ）に示すように、正面側に形成された着脱空間Ｓを介してメンテナンス開口扉７からの着脱を可能としている。
【００３５】
これにより、冷却ユニットを上方から着脱する従来の構造と比較して、クーリングコア（オイルクーラ２１、ＣＡＣ２２、ラジエータ２３）の正面側に形成された着脱空間Ｓを介して、容易にクーリングコア（オイルクーラ２１、ＣＡＣ２２、ラジエータ２３）の着脱を行うことができる。
（２）
本実施形態のクーリングコアの取付構造では、各クーリングコア（オイルクーラ２１、ＣＡＣ２２、ラジエータ２３）が取り付けられるケース部２０の一部に、図９（ｂ）に示すように、クーリングコアと当接する面から外側に折り曲げられた外折れ部２０ｃを有している。
【００３６】
これにより、ケース部２０のフレーム強度を十分に確保しつつ、フレームの一部が各クーリングコア（オイルクーラ２１、ＣＡＣ２２、ラジエータ２３）の着脱の妨げになることを回避することができる。
（３）
本実施形態のクーリングコアの取付構造では、図１０（ａ）に示すように、各クーリングコア（オイルクーラ２１、ＣＡＣ２２、ラジエータ２３）のうち、取付空間Ｔにおいて、ラジエータ２３を着脱空間Ｓに対して一旦横方向にスライドさせてから着脱を行う。
【００３７】
これにより、カウンタウェイト５等に覆われることによってクーリングコア（オイルクーラ２１、ＣＡＣ２２、ラジエータ２３）の正面の全てが開放されていない構造であっても、クーリングコアのいくつかをスライドさせてから所定の位置において着脱空間Ｓ側へと引き出すことで、容易に全てのクーリングコア（オイルクーラ２１、ＣＡＣ２２、ラジエータ２３）の着脱を省スペースで行うことができる。この結果、クーリングコア（オイルクーラ２１、ＣＡＣ２２、ラジエータ２３）の正面側からの着脱によって、着脱空間Ｓを必要以上に設ける必要がないため、車体の大型化を回避することができる。
【００３８】
（４）
本実施形態のクーリングコアの取付構造では、図３および図４に示すように、クーリングコア（オイルクーラ２１、ＣＡＣ２２、ラジエータ２３）の正面視において、クーリングコアの正面側における一部に、カウンタウェイト５の側部５ａが重なるように配置されている。
【００３９】
これにより、クーリングコア（オイルクーラ２１、ＣＡＣ２２、ラジエータ２３）の正面に配置された着脱空間Ｓが狭くなってしまうものの、上述したラジエータ２３等の取付空間Ｔにおけるスライド移動によって、狭くなった着脱空間Ｓを介して、容易に各クーリングコアの着脱を行うことができる。
（５）
本実施形態のクーリングコアの取付構造では、図７等に示すように、オイルクーラ２１、ＣＡＣ２２、ラジエータ２３をクーリングコアとして含んでいる。
【００４０】
これにより、複数のクーリングコアであっても、図９（ａ）〜図１０（ｂ）に示すように、クーリングコア（オイルクーラ２１、ＣＡＣ２２、ラジエータ２３）の正面に形成された着脱空間Ｓを介して容易に取り外すことができる。
（６）
本実施形態の油圧ショベル１は、図１に示すように、上述したクーリングコア（オイルクーラ２１、ＣＡＣ２２、ラジエータ２３）の取付構造を採用している。
【００４１】
これにより、上述したように、キャブ１０やカウンタウェイト５等の配置に関わらず、クーリングコア（オイルクーラ２１、ＣＡＣ２２、ラジエータ２３）を容易に着脱することができる。
［他の実施形態］
以上、本発明の一実施形態について説明したが、本発明は上記実施形態に限定されるものではなく、発明の要旨を逸脱しない範囲で種々の変更が可能である。
【００４２】
（Ａ）
上記実施形態では、平面視において、クーリングコア（オイルクーラ２１、ＣＡＣ２２、ラジエータ２３）の上面がキャブ１０の一部と重なるように配置されているとともに、クーリングコア（オイルクーラ２１、ＣＡＣ２２、ラジエータ２３）の正面視において、カウンタウェイト５の側部５ａが重なるように配置されている例を挙げて説明した。しかし、本発明はこれに限定されるものではない。
【００４３】
例えば、クーリングコアの正面視において冷却ユニットの一部と重なるように配置される搭載部品としては、カウンタウェイトに限定されるものではなく、エンジンルーム等に配置された他の搭載部品であってもよい。
（Ｂ）
上記実施形態では、クーリングコア（オイルクーラ２１、ＣＡＣ２２、ラジエータ２３）を正面側から着脱可能とする着脱許容部（フレーム構造）として、外側に折れ曲がったケース部２０の外折れ部２０ｃを例として挙げて説明した。しかし、本発明はこれに限定されるものではない。
【００４４】
例えば、着脱空間側における冷却ユニットを覆う部分がないフレーム形状であれば、必ずしも外側に折れ曲がった形状である必要はない。
ただし、上記実施形態のように、外折れ形状とすることで、フレーム全体の剛性を向上させることができるという観点では、上記実施形態のようなフレーム形状を採用することがより好ましい。
【００４５】
（Ｃ）
上記実施形態では、クーリングコア（オイルクーラ２１、ＣＡＣ２２、ラジエータ２３）の一部を、一旦、横方向にスライドさせてから正面側から着脱する移動部として、スライド方向に沿って配置されたケース部２０の取付空間Ｔを例として挙げて説明した。しかし、本発明はこれに限定されるものではない。
【００４６】
例えば、移動部としては、フレーム形状以外にも、旋回台等に形成された溝部等のような、他の機構を用いることもできる。
（Ｄ）
上記実施形態では、本発明に係る取付構造が適用されるクーリングコアとして、オイルクーラ２１、ＣＡＣ２２およびラジエータ２３を含むクーリングコアのユニットを例として挙げて説明した。しかし、本発明はこれに限定されるものではない。
【００４７】
例えば、これらの２つを組合せたユニットであってもよいし、単体を冷却ユニットとして取付構造を採用してもよい。あるいは、上記以外の冷却ユニットあるいはその組合せを冷却ユニットとして採用してもよい。
（Ｅ）
上記実施形態では、本発明に係るクーリングコアの取付構造を搭載した作業車両として、クローラ式の油圧ショベル１を例として挙げて説明した。しかし、本発明はこれに限定されるものではない。
【００４８】
例えば、タイヤ式の油圧ショベル等のように上部旋回体を有する他の建設機械や、フォークリフト等のような他の作業車両に対して搭載されるクーリングコアの取付構造にも同様に適用可能である。
【産業上の利用可能性】
【００４９】
本発明のクーリングコアの取付構造は、キャブやカウンタウェイト等の配置に関わらず、各種冷却ユニットを容易に着脱することができるという効果を奏することから、冷却ユニットを搭載した各種作業機械に対して広く適用可能である。
【図面の簡単な説明】
【００５０】
【図１】本発明の一実施形態に係るクーリングコアの取付構造を採用した油圧ショベルの構成を示す側面図。
【図２】図１の油圧ショベルの平面図。
【図３】図１の油圧ショベルを構成する旋回台上の構成を示す平面図。
【図４】図１の油圧ショベルにおけるキャブ周辺の構成を示す側面図。
【図５】（ａ）〜（ｃ）は、図１の油圧ショベルの後端に搭載されたカウンタウェイトの構成を示す斜視図。
【図６】図１の油圧ショベルに搭載された冷却ユニットのエンジン側の構成を示す斜視図。
【図７】図１の油圧ショベルに搭載された冷却ユニットのメンテナンス開口扉側の構成を示す斜視図。
【図８】（ａ）〜（ｃ）は、図７の冷却ユニットに含まれる個々のクーリングコアを示す斜視図。
【図９】（ａ）および（ｂ）は、図７の冷却ユニットにおける各クーリングコアの着脱の流れを示す斜視図。
【図１０】（ａ）および（ｂ）は、図７の冷却ユニットにおける各クーリングコアの着脱の流れを示す斜視図。
【符号の説明】
【００５１】
１      油圧ショベル（作業車両）
２      下部走行体
３      旋回フレーム
４      作業機
５      カウンタウェイト
５ａ    側部
６      冷却ユニット
７      メンテナンス開口扉
１０      キャブ
２０      ケース部（フレーム部）
２０ａ    開口部
２０ｃ    外折れ部（着脱許容部）
２１      オイルクーラ（クーリングコア）
２１ａ，２１ｂ  クーリングコア
２１ｃ    オイル入口
２１ｄ    オイル出口
２２      ＣＡＣ（クーリングコア）
２２ａ    空気出口
２２ｂ    空気入口
２２ｃ    取付ボス
２３      ラジエータ（クーリングコア）
２３ａ    水入口
２３ｂ    水出口
２３ｃ    取付ボス
２４      燃料クーラ
２５      取付プレート
Ｅ      エンジン
Ｓ      着脱空間
Ｔ      取付空間（移動部）
Ｗ      空気の流れ
【図１】
2009120036.tif 000003
【図２】
2009120036.tif 000004
【図３】
2009120036.tif 000005
【図４】
2009120036.tif 000006
【図５】
2009120036.tif 000007
【図６】
2009120036.tif 000008
【図７】
2009120036.tif 000009
【図８】
2009120036.tif 000010
【図９】
2009120036.tif 000011
【図１０】
2009120036.tif 000012